(57)【要約】【課題】安価な構造で銀イオンの溶出を行うイオン溶出装置を有する洗濯機を提供する。【解決手段】洗剤投入蓋３８は給水口３６から給水される水を洗濯兼脱水槽１５内部へ導く凹部３９を有し、凹部３９に銀イオンを練り込んだ小片状の銀クリスタル材４を封入した収納部５１を有する構成としたもので、洗濯兼脱水槽中の洗濯水に銀イオンを簡単かつ安価に組み込む事ができ、溶解度を高めて溶出させ、その補充や取替えも簡単にできる。【選択図】図２
2013094220.tif 000002
【特許請求の範囲】
【請求項１】
洗濯水を溜める水槽と、前記水槽に回転自在に内設した洗濯兼脱水槽と、前記水槽に給水する給水弁と、前記給水弁に接続し前記洗濯兼脱水槽内部へ上方から給水する給水口と、前記給水口の出口に回動自在に設けられ前記洗濯兼脱水槽内部へ洗剤を投入する洗剤投入蓋とを備え、前記洗剤投入蓋は前記給水口から給水される水を前記洗濯兼脱水槽内部へ導く凹部を有し、前記凹部に銀イオンを練り込んだ小片状の銀クリスタル材を封入した収納部を有する洗濯機の銀イオン溶出装置。
【請求項２】
前記収納部は回動可能とし、前記洗剤投入蓋の凹部と一体的に回動して給水を行うと銀イオンを溶出し、前記洗剤投入蓋だけを回動し前記収納部を回動しないで給水すれば銀イオンを溶出しない構成の請求項１に記載の洗濯機の銀イオン溶出装置。
【発明の詳細な説明】
【技術分野】
【０００１】
本発明は、抗菌性のある銀イオンを洗濯水の中に溶出するイオン溶出装置を備えた洗濯機に関するものである。
【背景技術】
【０００２】
従来、この種の洗濯機は、洗濯物を清潔に仕上げる為に、洗濯を行う際の洗濯水やすすぎ水の給水時に金属イオンを溶出させ殺菌作用を衣類に与える構成が提案されている（例えば、特許文献１参照）。
【０００３】
図９、１０は、特許文献１に記載された従来の洗濯機の金属イオン溶出装置を示すものである。
【０００４】
図９の洗濯機断面図に示すように、洗濯機の外箱９０上方に配置したバックパネル５２内部に電磁的に開閉する給水弁５０と洗濯兼脱水槽１３０内部に臨む位置に給水口５３を配し、給水弁５０と給水口５３の間にイオン溶出ユニット１００を配管する。
【０００５】
イオン溶出ユニット１００は、図１０のイオン溶出装置の水平断面図に示すように、ケース１１０は、洗濯水の流入口１１１と流出口１１２を有し、内部に銀プレート等で構成した電極１１３，１１４を、距離を隔てて配置し、ケース１１０の内部を給水中に電圧印加することにより、陽極においてＡｇ→Ａｇ+＋ｅ-の反応が起こり、水中に銀イオン（Ａｇ+）が溶出し衣類に付着する構成である。
【先行技術文献】
【特許文献】
【０００６】
【特許文献１】特開２００４−１７３７１７号公報
【発明の概要】
【発明が解決しようとする課題】
【０００７】
しかしながら、前記従来の構成では、構造が複雑で且つ、高価な部品を使用し電極などの制御部品等が必要であり、一般的な洗濯機には組込が難しかった。そのため高級タイプの洗濯機にしか使用することができない、という課題を有していた。
【０００８】
本発明は、前記従来の問題を解決するもので、安価な構造で銀イオンの溶出を長期間にわたり安定して効率良く行うことのできるイオン溶出装置を有する洗濯機を提供することにある。
【課題を解決するための手段】
【０００９】
前記従来の課題を解決するために、本発明の洗濯機の銀イオン溶出装置は、洗濯水を溜める水槽と、前記水槽に回転自在に内設した洗濯兼脱水槽と、前記水槽に給水する給水弁と、前記給水弁に接続し前記洗濯兼脱水槽内部へ上方から給水する給水口と、前記給水口の出口に回動自在に設けられ前記洗濯兼脱水槽内部へ洗剤を投入する洗剤投入蓋とを備え、前記洗剤投入蓋は前記給水口から給水される水を前記洗濯兼脱水槽内部へ導く凹部を有し、前記凹部に銀イオンを練り込んだ小片状の銀クリスタル材を封入した収納部を有する構成としたものである。
【００１０】
これによって、洗濯兼脱水槽中へ給水時に洗濯水液と一緒に銀イオンを簡単かつ安価に組み込む事ができ、溶解度を高めて溶出させ、その補充や取替時期も明確に示せかつ簡単に取替が可能としたものである。また、洗剤投入蓋は回動させることに開閉可能な構造としている。
【発明の効果】
【００１１】
本発明の洗濯機の銀イオン溶出装置は、洗剤投入時に給水液と同時に銀イオンを溶出するので簡単かつ安価な構造で行うことができる。また、洗剤投入蓋に銀クリスタル材を封入し、回動自在に組み込んだので、洗剤投入蓋を開いて給水しているときは銀イオンを溶出させ、洗剤投入蓋を閉じているときは銀イオンを溶出させないように使うことが可能である。
【図面の簡単な説明】
【００１２】
【図１】本発明の実施の形態１における洗濯機の縦断面図
【図２】同実施の形態１における洗濯機の銀イオン溶出装置部斜視図
【図３】同実施の形態１における洗濯機の銀イオン溶出装置部縦断面図
【図４】本発明の実施の形態２における洗濯機の銀イオン溶出装置の断面図
【図５】同実施の形態２における洗濯機の銀イオン溶出装置の他の断面図
【図６】同実施の形態２における洗濯機の銀イオン溶出装置の他の断面図
【図７】同実施の形態２における洗濯機の銀イオン溶出装置の分解斜視図
【図８】同実施の形態２における洗濯機の銀イオン溶出装置の斜視図
【図９】従来の洗濯機の断面図
【図１０】同従来の洗濯機のイオン溶出装置の水平断面図
【発明を実施するための形態】
【００１３】
第１の発明は、洗濯水を溜める水槽と、前記水槽に回転自在に内設した洗濯兼脱水槽と、前記水槽に給水する給水弁と、前記給水弁に接続し前記洗濯兼脱水槽内部へ上方から給水する給水口と、前記給水口の出口に回動自在に設けられ前記洗濯兼脱水槽内部へ洗剤を投入する洗剤投入蓋とを備え、前記洗剤投入蓋は前記給水口から給水される水を前記洗濯兼脱水槽内部へ導く凹部を有し、前記凹部に銀イオンを練り込んだ小片状の銀クリスタル材を封入した収納部を有する構成としたことにより、洗剤投入時に給水液と同時に銀イオンを溶出するので簡単かつ安価に構成ができ、その補充や取替えも簡単にできるものでる。
【００１４】
第２の発明は、特に、第１の発明の収納部は回動可能とし、前記洗剤投入蓋の凹部と一体的に回動して給水を行うと銀イオンを溶出し、前記洗剤投入蓋だけを回動し前記収納部を回動しないで給水すれば銀イオンを溶出しない構成とした。
【００１５】
これにより洗剤投入と銀イオン投入切り替えを可能とすることができ、すなわち、洗剤投入蓋を開いて給水しているときは銀イオンを溶出させ、洗剤投入蓋を閉じているときは銀イオンを溶出させないように使うことが可能となるので、使い勝手のよい洗剤、銀イオン投入装置を提供する事ができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態の洗濯機の縦断面図、図２は、同洗濯機の銀イオン溶出装置部の洗剤投入蓋を閉じた状態断面図、図３は、同洗濯機の銀イオン溶出装置部の洗剤投入蓋を開いた状態断面図を示す。
【００１８】
図１において、洗濯機の本体１１は、内部に洗濯兼脱水槽１５を回転自在に内設した水槽１３をサスペンション１２により懸垂防振支持している。
【００１９】
洗濯兼脱水槽１５は、側壁に多数の脱水孔１６を有するとともに、上部内周に振動吸収用の流体バランサー１７を有し、中央底部にはパルセータ１８を回転自在に配設する。
【００２０】
洗濯・脱水軸１４は中空で２軸構造とし、水槽１３の外底部の伝達機構部１９の内部の減速ギアおよびクラッチ（図示せず）で、洗濯・脱水軸１４の回転切り換えを行い、モータ２０の回転を洗濯時にはパルセータ１８に、脱水時に洗濯兼脱水槽１５にそれぞれ回転伝達する。
【００２１】
本体１１の上部には上部枠体２４を配し、上部枠体２４の略中央部には、洗濯兼脱水槽１５と外部とを連通するための洗濯物投入取出口２５を形成し、洗濯物投入取出口２５は蓋体２６にて開閉自在に覆われている。上部枠体２４の前方側の内部には、制御装置２７を配し、後方側の内部には、水道蛇口（図示せず）と給水ホース３０で連結した電磁力により開閉可能な給水弁２８を配設している。
【００２２】
給水弁２８の先には給水口３６を接続し上部枠体２４に固定している。給水口３６の出口には給水口下端３７に軸支された洗剤投入蓋３８を回動自在に装着している。この洗剤投入蓋３８の凹部３９には銀イオンを練り込んだ小片状の銀クリスタル材４を水が通過できる網目状のフィルターとして封入した収納部５１を構成している。
【００２３】
図２の断面図において、洗剤投入蓋３８は閉じた状態の図面である。洗剤投入蓋を閉じた状態であれば給水弁２８より流出した水は矢印のように流れでて洗剤投入蓋の中に入らずに洗濯兼脱水槽１５に流入する。そのため銀イオンは溶出せず洗濯兼脱水槽１５内に流れこまない。
【００２４】
銀クリスタル材４は、主材料に水溶性の三酸化二硼素（Ｂ２Ｏ３）に銀を練り込んだ部材として粒子状の固形物状態に加工された多数の小片として構成している。
【００２５】
図３の縦断面図において、洗剤投入蓋３８は開いた状態の図面である。洗剤投入蓋を開いた状態であれば給水弁２８より流出した水は矢印のように流れでて洗剤投入蓋の凹部３９の中に入り収納された洗濯兼脱水槽１５に流入する。銀クリスタル材４の中に水が流れこみ、そのため銀イオンが溶出し洗濯兼脱水槽１５内に流れこむ。
【００２６】
以上のように構成された洗濯機の銀イオン溶出装置について以下その動作、作用を説明する。
【００２７】
制御装置２７からの信号により洗濯運転が開始し、電磁力により開閉可能な給水弁２８が開放されることにより給水ホース３０から給水液が流入して給水口に流れこむ。この水が洗剤投入蓋の凹部３９に流れこみ凹部３９に収納されている銀クリスタル材４の中に水が流れこみ、そのため銀イオンが溶け出して洗濯兼脱水槽１５内に流れ込む。その結果、銀クリスタル材４の中に練り込まれている銀イオン（Ａｇ＋）が水中に溶出し衣類に付着し、洗濯物の抗菌処理をする事が出来る。
【００２８】
なお、図１〜３の実施例では、銀イオン溶出するための銀クリスタル材４を洗剤投入蓋の凹部３９に収納しているため洗剤投入蓋を開閉させることにより銀イオンを使用したりしなかったり切り替えをすることが可能である。そのため銀クリスタル材４の無駄遣いを無くすることが可能である。
【００２９】
（実施の形態２）
図４は、同洗濯機の銀イオン溶出装置部の洗剤投入蓋を閉じた状態断面図、図５は、洗剤投入蓋を開いた状態断面図を示す。また、図６は、同洗濯機の銀イオン溶出装置部の洗剤投入蓋と銀クリスタル材４を開いた状態断面図を示す。
【００３０】
図４において、洗剤投入蓋３８は閉じた状態の縦断面図である。洗剤投入蓋３８を閉じた状態であれば給水弁２８より流出した水は矢印のように流れでて洗剤投入蓋の中及び銀クリスタル材４の収納部５１に入らずに洗濯兼脱水槽１５に流入する。そのため銀イオンは洗濯兼脱水槽１５内に流れこまない。
【００３１】
図５において洗剤投入蓋３８を全面に回動させて開くことにより洗剤投入蓋の凹部３９に所定の洗剤を載せて予約時間を設定させて放置しておけば給水弁２８より流出した水は矢印のように流れでて洗剤投入蓋３８の凹部３９に流れこみ凹部３９に載せていた洗剤を給水した水と一緒に洗濯兼脱水槽１５に流入させることが可能である。
【００３２】
図６において収納部５１を回動開状態に開洗剤投入蓋の中まで倒してやることにより、給水弁２８より流出した水は矢印のように流れでて洗剤投入蓋３８の凹部３９に配した収納部５１に流れこみに載せていた銀クリスタル材４の中に水が通過して銀イオンを溶解して洗濯兼脱水槽１５に流れこむことが可能である。
【００３３】
図７は、洗濯機の銀イオン溶出装置の分解斜視図、図８は、銀イオン溶出装置の斜視図である。
【００３４】
給水口３６の出口には給水口下端３７に軸支された洗剤投入蓋３８を回動自在に装着している。また、洗剤投入蓋３８の凹部３９に収まるように、銀イオンを練り込んだ小片状の銀クリスタル材４が水が通過できる網目状のフィルターとして収納部５１に封入されている。また収納部５１は、給水口３６の出口にの給水口下端３７に、回動自在に軸支され、洗剤投入蓋３８とは分離して回動するように設けられている。
【００３５】
図８は、収納部５１および洗剤投入蓋３８を回動して閉じた状態を示す。
【００３６】
このように洗剤投入蓋３８の中に収納部５１を設けることにより従来使用していた予約時に使用する洗剤自動投入機能と銀イオン発生装置を同時に組み込みすることが可能である。
【００３７】
従って、洗剤自動投入機能も残したまま銀イオンも同時に発生させることが可能である。かつ銀クリスタル材４の収納を簡単な構成で実現できる。
【００３８】
以上のように、本実施の形態１〜２においては、洗濯機の洗濯給水時に給水と同時に効率よく銀クリスタル材を溶解させて銀イオン効果を発揮させることが出来る。
【００３９】
また、本実施の形態の、銀イオン溶出装置を給水時の洗剤投入蓋部分に配置したので、銀イオンを使用したい時としたくないときに使い分けることが出来る。
【００４０】
給水する水を全部通過させることが出来るため銀イオンの溶解が高まり、強い抗菌効果を発揮させることが出来るとともに、洗剤投入蓋に組み込むことが可能になるので、製品の高級タイプ、低級タイプを問わずあらゆる機種にほぼ類似の取付け構造として実現可能となるので、本実施例は簡単に銀イオン溶出機能を容易に実現することが出来る構成である。
【産業上の利用可能性】
【００４１】
以上のように、本発明にかかる洗濯機の銀イオン溶出装置は、抗菌作用のある銀イオンの溶出を安価で簡単な構造で行うことが出来るので、抗菌性のある銀イオンを洗濯水の中に溶出するイオン溶出装置を備えた洗濯機に有用である。
【符号の説明】
【００４２】
４    銀クリスタル材
１３  水槽
１５  洗濯兼脱水槽
２８  給水弁
３６  給水口
３８  洗剤投入蓋
３９  凹部
５１  収納部
【図１】
2013094220.tif 000003
【図２】
2013094220.tif 000004
【図３】
2013094220.tif 000005
【図４】
2013094220.tif 000006
【図５】
2013094220.tif 000007
【図６】
2013094220.tif 000008
【図７】
2013094220.tif 000009
【図８】
2013094220.tif 000010
【図９】
2013094220.tif 000011
【図１０】
2013094220.tif 000012